【手続補正書】
【提出日】平成18年6月8日(2006.6.8)
【手続補正１】
【補正対象書類名】明細書
【補正対象項目名】特許請求の範囲
【補正方法】変更
【補正の内容】
【特許請求の範囲】
【請求項１】
空気の流れをバーナを通し、次に、燃焼室の壁にある入口を通して燃焼室の燃焼領域の中へ向けるためのベンチュリ管を備え、前記ベンチュリ管は、入口端部と出口端部、および前記両端部のいずれよりも内径が小さく、前記両端部の間に位置する喉部を有し、前記喉部は、空気の前記流れがベンチュリ管を通過してその内部に低圧ゾーンを作る際に動作可能であり、前記ベンチュリ管は、その出口端部が燃焼室への前記入口に隣接して位置する状態で配置されており、前記ベンチュリ管は、再循環された煙道ガスを前記低圧ゾーンの中へ直接誘導するために前記喉部に隣接して配置された煙道ガス入口接続部を含んでおり、空気の前記流れの一次部分が内部を通過するようベンチュリ管内に配置されたスワラをさらに備え、ベンチュリ管の出口端部とスワラは、空気の前記流れの二次部分がスワラを通過しないように配置されており；さらに、前記燃焼領域と流体連通している少なくとも一つの入口と、ベンチュリ管の煙道ガス入口接続部に接続された少なくとも一つの入口とを含んだダクトシステムをさらに備え、前記システムは、煙道ガスの流れを前記燃焼領域に隣接した前記燃焼室内の位置から前記煙道ガス入口接続部内へ再循環させるように構成され適応されており、それによって煙道ガスの前記再循環流れが、前記煙道ガス入口接続部を通って前記低圧ゾーン内に誘導され、低圧ゾーン内で空気の前記流れと混合されることを特徴とするＣＯおよびＮＯｘ放射を低減できる円形バーナ。
【請求項2】
前記バーナは前記ベンチュリ管の中に置かれ、燃料ガスの供給を空気の前記流れに導入するように配置された少なくとも1本の第1の燃料ガスノズルを備える請求項1に記載の円形バーナ。
【請求項3】
前記ベンチュリ管は外周縁部を有し、前記入口は内側環状縁を有し、前記外周縁部と前記内縁がそれらの間に環状ギャップを形成しており、前記ギャップは三次空気流をベンチュリ管の外周縁部のまわりから入口を通して前期燃焼室の中へ向けるように配置されている請求項1に記載の円形バーナ。
【請求項4】
前記ベンチュリ管は外周縁部を有し、前記入口は内側環状縁を有し、前記外周縁部と前記内縁がそれらの間に環状ギャップを形成しており、前記ギャップは三次空気流をベンチュリ管の外周縁部のまわりから入口を通して前期燃焼室の中へ向けるように配置されている請求項2に記載の円形バーナ。
【請求項5】
前記少なくとも一つの第1の燃料ガスノズルは、ベンチュリ管の縦軸に隣接してベンチュリ管の中央にかつ燃料ガスを空気の流れの前記一次部分に導入する位置に配置されており、前記バーナは、燃料ガスを空気の流れの前記二次部分に導入するように配置された少なくとも一つの燃料ガスポーカノズルを備えている請求項4に記載の円形バーナ。
【請求項6】
前記バーナが前記ベンチュリ管に導入される燃料油を燃焼させるのに適応されている請求項1に記載の円形バーナ。
【請求項7】
前記バーナが天然ガスを燃焼させるのに適応されている請求項1に記載の円形バーナ。
【請求項8】
前記バーナが天然ガスを燃焼させるのに適応されている請求項6に記載の円形バーナ。
【請求項９】
空気の流れをバーナを通し、次に、燃焼室の壁にある入口を通して燃焼室内の燃焼領域の中へ向けるためのベンチュリ管を備え、前記ベンチュリ管は入口端部および出口端部、さらに前記端部よりも内径が小さく、前記両端部の間に位置する喉部を有し、前記喉部は、空気の前記流れがベンチュリ管を通過してその内部に低圧ゾーンを作る際に動作可能であり、前記ベンチュリ管は、その出口端部が、燃焼室への前記入口に隣接して位置する状態で配置されており、前記ベンチュリ管は、再循環された煙道ガスを前記低圧ゾーン内へ直接誘導するために、前記喉部に隣接して配置された煙道ガス入口接続部を含んでおり、前記ベンチュリ管はさらに外周縁部を有し、また前記入口は内側環状縁を有し、前記外周縁と前記内縁がそれらの間に環状ギャップを形成しており、前記ギャップは、三次空気流をベンチュリ管の外周縁部のまわりから入口を通して前記燃焼室の中へ向けるように配置されており；さらに、燃焼領域と流体連通して配置された少なくとも一つの入口と、ベンチュリ管の煙道ガス入口接続部に接続された少なくとも一つの入口とを含んだダクトシステムをさらに備え、前記システムは、煙道ガスの流れを、前記燃焼領域に隣接した前記燃焼室内の位置から前記煙道ガス入口接続部内へ再循環させるように構成され適応されており、それによって煙道ガスの前記再循環流れが、前記煙道ガス入口接続部を通して前記低圧ゾーン内へ誘導され、低圧ゾーン内で空気の前記流れと混合されることを特徴とする、ＣＯおよびＮＯｘ放射を低減できる円形バーナ。
【請求項10】
前記バーナは空気の前記流れの少なくとも一次部分がそれを通過するように配置されたスワラを備えている請求項9に記載の円形バーナ。
【請求項11】
ベンチュリ管の出口端部とスワラの配置は、空気の前記流れの二次部分がスワラを通過しないようになっている請求項10に記載の円形バーナ。
【請求項12】
前記少なくとも一つの第1の燃料ガスノズルは、ベンチュリ管の縦軸に隣接してベンチュリ管の中央にかつ燃料ガスを空気の流れの前記一次部分に導入する位置に配置されており、前記バーナは、燃料ガスを空気の流れの前記二次部分に導入するように配置された少なくとも一つの燃料ガスポーカノズルを備えている請求項9に記載の円形バーナ。
【請求項13】
前記バーナは前記ベンチュリ管の中に置かれ、ある燃料ガス供給量を空気の前記流れに導入するように配置された少なくとも1本の第1の燃料ガスノズルを備える請求項9に記載の円形バーナ。
【請求項14】
前記バーナが前記ベンチュリ管に導入される燃料油を燃焼させるのに適応されている請求項9に記載の円形バーナ。
【請求項15】
前記バーナが天然ガスを燃焼させるのに適応されている請求項9に記載の円形バーナ。
【請求項16】
前記バーナが天然ガスを燃焼させるのに適応されている請求項14に記載の円形バーナ。
【請求項17】
空気の流れをバーナを通し、次に、燃焼室の壁にある入口を通して燃焼室の燃焼領域の中へ向けるように配置されたベンチュリ管を備え、前記ベンチュリ管は外周縁部と、入口端部および出口端部とを有し、ベンチュリ管の前記出口端部は前記入口端部よりも大きい内径を有し、ベンチュリ管の前記出口端部は、燃焼室への前記入口に隣接して配置され、ベンチュリ管の前記入口端部はベンチュリ管の前記出口端部よりも、前記入口から遠くに配置されており、前記入口は内縁を有し、前記燃焼領域に隣接した位置で前記壁を通って伸びている少なくとも１本のインジェクタ・ノズルを含む燃焼ガス・インジェクタ装置を備え、前記ノズルは前記燃焼室と流体連通しており、入口の内縁を超えた壁の中の位置で前記燃焼室の中に燃料ガスを向けるように配置され；さらに、空気の前記流れの少なくとも一つの一次部分が内部を通過できるように配置されたスワラをさらに備え、ベンチュリ管の出口端部とスワラは、空気の前記流れの二次部分がスワラを通過しないように配置されていることを特徴とする、ＣＯおよびＮＯｘ放射を低減できる円形バーナ。
【請求項18】
前記バーナは前記ベンチュリ管の中に置かれ、ある燃料ガス供給量を空気の前記流れに導入するように配置された少なくとも1本の第1の燃料ガスノズルを備える請求項17に記載の円形バーナ
【請求項19】
空気の流れをバーナを通し、次に、燃焼室の壁にある入口を通して燃焼室内の燃焼領域の中へ向けるように配置されたベンチュリ管を備え、前記ベンチュリ管は外周縁部と、入口端部および出口端部とを有し、ベンチュリ管の前記出口端部は前記入口端部よりも大きい内径を有し、ベンチュリ管の前記出口端部は、燃焼室への前記入口に隣接して配置され、ベンチュリ管の前記入口端部は前記ベンチュリ管の出口端部よりも、前記入口から遠くに配置され、前記入口は内縁を有し、前記燃焼領域に隣接した位置で前記壁通って伸びている少なくとも1本のインジェクタ・ノズルを含む燃料ガス・インジェクタ装置をさらに備え、前記ノズルは、前記燃焼室と流体連通しており、入口の内縁の半径方向に外側に離れた壁の中の位置で前記燃焼室の中に燃料ガスの流れを向けるように配置され；さらに、空気の前記流れの少なくとも一次部分が内部を通過できるよう配置されたスワラをさらに備え、前記配置は、環状ギャップがベンチュリ管の出口端部における前記外周縁部と前記内縁との間に設けられるようになっており、前記ギャップは、ベンチュリ管の外周縁部のまわりから入口を通して前記燃焼室の中へ三次空気流を向けるように配置され、前記インジェクタ・ノズルは前記ギャップの半径方向に外側に配置されていることを特徴とする、ＣＯおよびＮＯｘ放射を低減できる円形バーナ。
【請求項20】
環状ギャップがベンチュリ管の出口端部における前記外周縁部と前記内縁の間に設けられ、前期ギャップは、ベンチュリ管の外周縁部のまわりから入口を通して前記燃焼室の中へ三次空気流を向けるように配置され、前記インジェクタ・ノズルは、前記ギャップの半径方向に外側に配置されている請求項17に記載の円形バーナ。
【請求項21】
前記バーナは前記ベンチュリ管の中に置かれ、ある燃料ガス供給量を空気の前記流れに導入するように配置された少なくとも1本の第1の燃料ガスノズルを備える請求項19に記載の円形バーナ。
【請求項22】
環状ギャップがベンチュリ管の出口端部における前記外周縁部と前記内縁の間に設けられ、前期ギャップは、ベンチュリ管の外周縁部のまわりから入口を通して前記燃焼室の中へ三次空気流を向けるように配置され、前記インジェクタ・ノズルは、前記ギャップの半径方向に外側に配置されている請求項18に記載の円形バーナ。
【請求項23】
前記少なくとも一つの第1の燃料ガスノズルは、ベンチュリ管の縦軸に隣接してベンチュリ管の中央にかつ燃料ガスを空気の流れの前記一次部分に導入する位置に配置されており、前記バーナは、燃料ガスを空気の流れの前記二次部分に導入するように配置された少なくとも一つの燃料ガスポーカノズルを備えている請求項18に記載の円形バーナ。
【請求項24】
前記少なくとも一つの第1の燃料ガスノズルは、ベンチュリ管の縦軸に隣接してベンチュリ管の中央にかつ燃料ガスを空気の流れの前記一次部分に導入する位置に配置されており、前記バーナは、燃料ガスを空気の流れの前記二次部分に導入するように配置された少なくとも一つの燃料ガスポーカノズルを備えている請求項22に記載の円形バーナ。
【請求項25】
空気の流れをバーナを通し、次に、燃焼室の壁にある入口を通して、燃焼室内の燃焼領域の中へ向けるためのベンチュリ管を備え、前記ベンチュリ管は入口端部および出口端部と、前記両端部のいずれよりも内径が小さく、前記両端部の間に位置する喉部とを有し、前記喉部は、空気の前記流れがベンチュリ管を通過してその内部に低圧ゾーンを作る際に動作可能であり、前記ベンチュリ管は、その出口端部が燃焼室の前記入口に隣接して位置する状態で配置されており、前記ベンチュリ管は、再循環された煙道ガスを前記低圧ゾーン内へ直接誘導するために前記喉部に隣接して配置された煙道ガス入口接続部を含んでおり、前記管はさらに外周縁部を有し、前記入口は内縁を有し、前記燃焼領域に隣接した位置で前記壁を通って伸びているインジェクタ・ノズルを含む燃料ガス・インジェクタ装置をさらに備え、前記ノズルは前記燃焼室と流体連通しており、また、入口の内縁を超えた壁の中の位置で前記燃焼室の中に燃料ガスを向けるように配置され、燃焼領域と流体連通して配置された少なくとも一つの入口と、ベンチュリ管の煙道ガス入口接続部に接続された少なくとも一つの出口とを含んだダクトシステムをさらに備え、前記システムは、煙道ガスの流れを、前記燃焼領域に隣接した前記燃焼室内の位置から前記煙道ガス入口接続部内へと再循環させるように構成され適合されており、それによって煙道ガスの前記再循環流れが前記煙道ガス入口接続部を通って前記低圧ゾーン内へ誘導され、低圧ゾーン内で空気の前記流れと混合され；さらに、空気の前記流れの少なくとも一次部分が内部を通過するよう配置されているスワラをさらに備え、ベンチュリ管の出口端部とスワラは、空気の前記流れの二次部分がスワラを通過しないように配置されていることを特徴とする、ＣＯおよびＮＯｘ放射を低減できる円形バーナ。
【請求項26】
前記バーナは前記ベンチュリ管の中に置かれ、燃料ガスの供給を空気の前記流れに導入するように配置された少なくとも1本の第1の燃料ガスノズルを備える請求項25に記載の円形バーナ。
【請求項27】
環状ギャップがベンチュリ管の出口端部における前記外周縁部と前記内縁の間に設けられ、前期ギャップは、ベンチュリ管の外周縁部のまわりから入口を通して前記燃焼室の中へ三次空気流を向けるように配置され、前記インジェクタ・ノズルは、前記ギャップの半径方向に外側に配置されている請求項25に記載の円形バーナ。
【請求項28】
環状ギャップがベンチュリ管の出口端部における前記外周縁部と前記内縁の間に設けられ、前期ギャップは、ベンチュリ管の外周縁部のまわりから入口を通して前記燃焼室の中へ三次空気流を向けるように配置され、前記インジェクタ・ノズルは、前記ギャップの半径方向に外側に配置されている請求項26に記載の円形バーナ。
【請求項29】
前記少なくとも一つの第1の燃料ガスノズルは、ベンチュリ管の縦軸に隣接してベンチュリ管の中央にかつ燃料ガスを空気の流れの前記一次部分に導入する位置に配置されており、前記バーナは、燃料ガスを空気の流れの前記二次部分に導入するように配置された少なくとも一つの燃料ガスポーカノズルを備えている請求項26に記載の円形バーナ。
【請求項30】
前記少なくとも一つの第1の燃料ガスノズルは、ベンチュリ管の縦軸に隣接してベンチュリ管の中央にかつ燃料ガスを空気の流れの前記一次部分に導入する位置に配置されており、前記バーナは、燃料ガスを空気の流れの前記二次部分に導入するように配置された少なくとも一つの燃料ガスポーカノズルを備えている請求項28に記載の円形バーナ。
【請求項31】
ＣＯとＮＯｘ放射の低減を達成するような円形バーナを備えたベンチュリ管の作動方法であり、前記ベンチュリ管は、入口端部および出口端部、および前記両端部の間に位置する喉部を有し、前記喉部は前記両端部のいずれよりも内径が小さく、また、流体の流れがベンチュリ管を通過してその内部に低圧ゾーンを作る際に動作可能であり、前記ベンチュリ管は、再循環された煙道ガスを前記低圧ゾーンの中へ直接誘導できるようにするために前記喉部に隣接して配置された煙道ガス入口接続部を含み、前記ベンチュリ管は、その出口端部が燃焼室への入口に隣接して位置する状態で配置されており、前記ベンチュリ管はさらに外周縁部を有し、ベンチュリ管の出口端部において前記外周縁部と前記入口の内縁との間に環状ギャップが設けられるよう配置されており、前記方法は、  前記ベンチュリ管内の、前記煙道ガス入口接続部に隣接する低圧ゾーンを作成するために、空気の流れを、前記ベンチュリ管をし、また前記入口を通して前記燃焼室内の燃焼領域に向けるステップと、三次空気流をベンチュリ管の外周縁部のまわりに流し、煙道ガス入口接続部を通り、前記低圧ゾーン内へ煙道ガスの再循環を直接誘導するために、前記低圧ゾーン内の低圧を使用し、これにより、再循環された煙道ガスが前記低圧ゾーン内で空気の前記流れと混合されるステップとを備える円形バーナを備えたベンチュリ管の作動方法。
【請求項32】
燃料ガスの第1の供給量を空気の前記流れに導入するステップを含む請求項31に記載の円形バーナを備えたベンチュリ管の作動方法。
【請求項33】
円形バーナを備えたベンチュリ管を低減ＣＯおよびＮＯｘで作動する方法において、前記ベンチュリ管は、端部、出口端部と喉部が前記入口端部と前記出口端部の間に配置された入口を有し、ベンチュリ管の前記出口端部が前記入口端部と前記喉部より大きい内径を有し、ベンチュリ管の前記出口端部が燃焼室への入口に隣接して配置され、ベンチュリ管の前記入口端部がベンチュリ管の前記出口端部より前記入口から遠くに配置されているとき、前記方法が空気の流れを前記ベンチュリ管を通し、前期入口を通して前記燃焼室の燃焼域に向けるステップと、前記燃焼領域に隣接した前記燃焼室内の位置から前記喉部に隣接した位置で前記ベンチュリ管内に煙道ガスを再循環させるステップからなり、それによって前記再循環煙道ガスをベンチュリ管の前記喉部で空気の前記流れと混合することを特徴とする円形バーナを備えた低ＣＯおよびＮＯｘの円形バーナを備えたベンチュリ管の作動方法。
【請求項34】
前記バーナは前記ベンチュリ管の中に置かれ、燃料ガスの供給を空気の前記流れに導入するように配置された少なくとも1本の第1の燃料ガスノズルを備える請求項33に記載の円形バーナ。
【請求項35】
前記ベンチュリ管が外周縁部を備え、環状ギャップがベンチュリ管の出口端部にある前記外周縁部と前記入口の内縁との間に設けられ、前記方法が三次空気流れにベンチュリ管の外周縁部のまわりにギャップを通して前記燃焼室に流入させるステップを含む請求項31に記載の円形バーナを備えたベンチュリ管の作動方法。
【請求項36】
前記ベンチュリ管が外周縁部を備え、環状ギャップがベンチュリ管の出口端部にある前記外周縁部と前記入口の内縁との間に設けられ、前記方法が三次空気流れにベンチュリ管の外周縁部のまわりにギャップを通して前記燃焼室に流入させるステップを含む請求項40に記載の円形バーナを備えたベンチュリ管の作動方法。
【請求項37】
燃料ガスの前記第1の供給量が空気の流れの前記一次部分に導入され、燃料ガスの第2の別個の供給量が空気の流れの前記二次部分に導入される請求項35に記載の円形バーナを備えたベンチュリ管の作動方法。
【請求項38】
燃料油の供給が空気の前記流れに導入される請求項31に記載の円形バーナを備えたベンチュリ管の作動方法。
【請求項39】
ＣＯとＮＯｘ放射の低減を達成するような円形バーナを備えたベンチュリ管の作動方法であり、前記ベンチュリ管は、入口端部および出口端部、および前記両端部の間に位置する喉部を有し、前記喉部は前記両端部のいずれよりも内径が小さく、また、流体の流れがベンチュリ管を通過してその内部に低圧ゾーンを作る際に動作可能であり、前記ベンチュリ管は、再循環された煙道ガスを前記低圧ゾーンの中へ直接誘導できるようにするために前記喉部に隣接して配置された煙道ガス入口接続部を含み、前記ベンチュリ管は、その出口端部が燃焼室への入口に隣接して位置する状態で配置されており、前記ベンチュリ管はさらに外周縁部を有し、ベンチュリ管の出口端部において前記外周縁部と前記入口の内縁との間に環状ギャップが設けられるよう配置されており、前記方法は、  前記ベンチュリ管内の、前記煙道ガス入口接続部に隣接する低圧ゾーンを作成するために、空気の流れを、前記ベンチュリ管をし、また前記入口を通して前記燃焼室内の燃焼領域に向けるステップと、三次空気流をベンチュリ管の外周縁部のまわりに流し、さらにギャップを通して前記燃焼室内へ流すステップと、前記燃焼領域に隣接した前記燃焼室内の位置から、煙道ガス入口接続部を通り、前記低圧ゾーン内へ煙道ガスの再循環を直接誘導するために、前記低圧ゾーン内の低圧を使用し、これにより、再循環された煙道ガスが前記低圧ゾーン内で空気の前記流れと混合されるステップとを備える円形バーナを備えたベンチュリ管の作動方法。
【請求項40】
少なくとも空気の前記流れの一次部分にスワラを通過させるステップを含む請求項39に記載の円形バーナを備えたベンチュリ管の作動方法。
【請求項41】
空気の前記流れの二次部分は、スワラを通過しない請求項40に記載の円形バーナを備えたベンチュリ管の作動方法。
【請求項42】
燃料ガスの第1の供給量を空気の前記流れに導入するステップを含む請求項39に記載の円形バーナを備えたベンチュリ管の作動方法。
【請求項43】
燃料オイルの供給量を空気の前記流れに導入するステップを含む請求項39に記載の円形バーナを備えたベンチュリ管の作動方法。
【請求項44】
ＣＯおよびＮＯｘ放射を低減しながら円形バーナを備えたベンチュリ管の作動方法であり、前記方法は、空気の流れを、ベンチュリ管を通し、次に燃焼室の壁にあり、内縁を有する入口を通して燃焼室内の燃焼領域の中へ向けるステップと燃料ガスの流れを前記燃焼室の中へ、入口の前記内縁を半径方向に越えて、前記燃焼領域に隣接した位置で噴射させるステップと空気の前記流れの少なくとも一次部分にスワラを通過させ、このとき、前記空気の流れの二次部分にはスワラを通過させないようになっているステップとを備える、円形バーナを備えたベンチュリ管の作動方法。
【請求項45】
燃料ガスの第１供給量を空気の前記流れに導入するステップを備える、請求項44に記載の円形バーナを備えたベンチュリ管の作動方法。
【請求項46】
前記ベンチュリ管が外周縁部を備え、環状ギャップがベンチュリ管の出口端部にある前記外周縁部と前記入口の内縁との間に設けられ、前記方法が三次空気流れに、ベンチュリ管の外周縁部のまわりをギャップを通して前記燃焼室に流入させるステップを含む請求項44に記載の円形バーナを備えたベンチュリ管の作動方法。
【請求項47】
前記ベンチュリ管が外周縁部を備え、環状ギャップがベンチュリ管の出口端部にある前記外周縁部と前記入口の内縁との間に設けられ、前記方法が三次空気流れに、ベンチュリ管の外周縁部のまわりをギャップを通して前記燃焼室に流入させるステップを含む請求項45に記載の円形バーナを備えたベンチュリ管の作動方法。
【請求項48】
燃料ガスの前記第1の供給量が空気の前記流れの前記一次部分に導入され、燃料ガスの第2の別個の供給量が空気の流れの前記二次部分に導入される請求項45に記載の円形バーナを備えたベンチュリ管の作動方法。
【請求項49】
燃料ガスの前記第1の供給量が空気の前記流れの前記一次部分に導入され、燃料ガスの第2の別個の供給量が空気の流れの前記二次部分に導入される請求項47に記載の円形バーナを備えたベンチュリ管の作動方法。
【請求項50】
ＣＯおよびＮＯｘ放射を低減しながら円形バーナを備えたベンチュリ管の作動方法であり、ベンチュリ管を通し、次に燃焼室の壁にある入口を通して燃焼室内の燃焼領域の中へ向けるステップであって、前記入口は内縁を有し、前記ベンチュリ管は外周縁部を有し、ベンチュリ管の出口端部における前記外周縁部と前記入口の前記内縁との間に環状ギャップが設けられているステップと、燃料ガスの流れを、前記燃焼室の中へ、入口の前記内縁を半径方向に越えて、および前記燃焼領域に隣接した位置で噴射させるステップと、空気の前記流れの少なくとも一次部分をスワラを通過させるステップと、三次空気流をベンチュリ管の外周縁部のまわりに、ギャップを通して、前記燃焼室内へ流入させるステップとを備える円形バーナを備えたベンチュリ管の作動方法。
【請求項51】
燃料ガスの第１供給量を空気の前記流れに導入するステップを含む、請求項５０に記載の円形バーナを備えたベンチュリ管の作動方法。
【請求項52】
ＣＯおよびＮＯｘ放射の低減を達成するような、円形バーナを備えたベンチュリ管の作動方法であり、前記ベンチュリ管は入口端部および出口端部、前記両端部の間に位置する喉部を有し、前記喉部は前記両端部のいずれよりも内径が小さく、流体の流れがベンチュリ管を通過してその内部に低圧ゾーンを作成する際に動作可能であり、前記ベンチュリ管は、再循環された煙道ガスを前記低圧ゾーンの中へ直接誘導できるようにするために前記喉部に隣接して配置された煙道ガス入口接続部を含み、前記ベンチュリ管は、その出口端部が燃焼室への入口に隣接して位置する状態で配置されており、前記入口は内縁を有し、前記方法は、前記ベンチュリ管内の、前記煙道ガス入口接続部に隣接する低圧ゾーンを作成するために、空気の流れを、前記ベンチュリ管を通し、次に、前記入口を通して前記燃焼室内の燃焼領域に向けるステップと、燃料ガスの流れを、前記燃焼室の中へ、入口の前記内縁の半径方向に越えて、前記燃焼領域に隣接した位置で噴射させるステップと、煙道ガスの再循環を、前記燃焼領域に隣接した前記燃焼室内の位置から、煙道ガス入口接続部を通して前記低圧ゾーン内に直接誘導するために、前記低圧ゾーン内で低圧を使用し、これにより、再循環された煙道ガスが前記低圧ゾーン内で前記空気の流れと混合されるステップと、空気の前記流れの少なくとも一次部分にスワラを通過させ、このとき、前記空気の流れの二次部分にはスワラを通過させないようになっているステップとを備える円形バーナを備えたベンチュリ管の作動方法。
【請求項53】
燃料ガスの第１供給量を空気の前記流れに導入するステップを含む、請求項５２に記載の円形バーナを備えたベンチュリ管の作動方法。
【請求項54】
前記ベンチュリ管が外周縁部を備え、環状ギャップがベンチュリ管の出口端部にある前記外周縁部と前記入口の内縁との間に設けられ、前記方法が三次空気流れに、ベンチュリ管の外周縁部のまわりをギャップを通して前記燃焼室に流入させるステップを含む請求項52に記載の円形バーナを備えたベンチュリ管の作動方法。
【請求項55】
前記ベンチュリ管が外周縁部を備え、環状ギャップがベンチュリ管の出口端部にある前記外周縁部と前記入口の内縁との間に設けられ、前記方法が三次空気流れに、ベンチュリ管の外周縁部のまわりをギャップを通して前記燃焼室に流入させるステップを含む請求項53に記載の円形バーナを備えたベンチュリ管の作動方法。
【請求項56】
燃料ガスの前記第1の供給量が空気の前記流れの前記一次部分に導入され、燃料ガスの第2の別個の供給量が空気の流れの前記二次部分に導入される請求項53に記載の円形バーナを備えたベンチュリ管の作動方法。
【請求項57】
燃料ガスの前記第1の供給量が空気の前記流れの前記一次部分に導入され、燃料ガスの第2の別個の供給量が空気の流れの前記二次部分に導入される請求項55に記載の円形バーナを備えたベンチュリ管の作動方法。
【請求項58】
ＣＯおよびＮＯｘ放射の低減を達成するような、円形バーナを備えたベンチュリ管の作動方法であり、前記ベンチュリ管は外周縁部、入口端部、出口端部、前記端部間に位置する喉部を有し、前記喉部は前記両端部のいずれよりも内径が小さく、流体の流れがベンチュリ管を通過してその内部に低圧ゾーンを作成する際に動作可能であり、前記ベンチュリ管は、再循環された煙道ガスの前記低圧ゾーンの中への直接誘導できるようにするために、前記喉部に隣接して配置された煙道ガス入口接続部を含み、前記ベンチュリ管は、その出口端部が燃焼室への入口に隣接して位置する状態で配置されており、前記入口は内縁を有し、ベンチュリ管の出口端部の前記外周縁部と前記入口の前記内縁との間には環状ギャップが設けられており、前記方法は、前記ベンチュリ管内の、前記煙道ガス入口接続部に隣接する低圧ゾーンを作成するために、空気の流れを、前記ベンチュリ管を通し、次に、前記入口を通して前記燃焼室内の燃焼領域に向けるステップと、燃料ガスの流れを、前記燃焼室の中へ、前記入口の前記内縁の半径方向に越えて、および前記燃焼領域に隣接した位置で噴射させるステップと、煙道ガスの再循環を、前記燃焼領域に隣接した前記燃焼室内の位置から、煙道ガス入口接続部を通して前記低圧ゾーン内に直接誘導するために、前記低圧ゾーン内で低圧を使用し、これにより、再循環された煙道ガスが前記低圧ゾーン内で前記空気の流れと混合されるステップと、空気の前記流れの少なくとも一次部分にスワラを通過させるステップと、三次空気流をベンチュリ管の外周縁部のまわりに流し、さらにギャップを通して、前記燃焼室内へ流すステップとを備える円形バーナを備えたベンチュリ管の作動方法。
【請求項59】
燃料ガスの第１供給量を空気の前記流れに導入するステップを含む、請求項５８に記載の円形バーナを備えたベンチュリ管の作動方法。
【請求項60】
空気の流れをバーナを通し、次に燃焼室の壁にある入口を通して燃焼室内の燃焼領域の中に向けるように配置されたベンチュリ管を備え、前記ベンチュリ管は入口端部および出口端部、前記両端部の間に配置された喉部を有し、前記出口端部は前記入口端部および前記喉部よりも大きい内径を有し、ベンチュリ管の前記出口端部は燃焼室への前記入口に隣接して配置されており、ベンチュリ管の前記入口端部はベンチュリ管の前記出口端部よりも、前記入口から遠くに配置されており、前記ベンチュリ管はその前記両端部の間に伸びている中心配置された縦軸を有し、前記軸に配置され、前記出口端部に隣接して配置されるベンチュリ管内に設けられるスワラをさらに備え、これにより前記空気の流れの中央にある一次部分がスワラを通過し、前記一次部分を包囲する前記流れの環状の二次部分がスワラを通過しないようにされており、前記ベンチュリ管と前記入口は、三次空気流がベンチュリ管の外周縁部のまわりから、また、入口を通して前記燃焼室の中へ向けられるように配置されていることを特徴とする、ＣＯおよびＮＯｘ放射を低減できる円形バーナ。
【請求項61】
前記ベンチュリ管は外周縁部を有し、前記入口は内側環状縁を有し、前記外周縁部と前記内縁がそれらの間に環状ギャップを形成しており、前記ギャップは三次空気流をベンチュリ管の外周縁部のまわりから入口を通して前記燃焼室の中へ向けるように配置されている請求項60に記載の円形バーナ。
【請求項62】
ベンチュリ管を装備した円形バーナを、ＣＯおよびＮＯｘ放射を低減しながら動作する方法であり、前記ベンチュリ管は入口端部、出口端部、前記入口端部と前記出口端部の間に配置された喉部を有し、ベンチュリ管の前記出口端部は前記入口端部および前記喉部よりも大きい内径を有し、ベンチュリ管の前記出口端部は、燃焼室への入口に隣接して配置されており、ベンチュリ管の前記入口端部はベンチュリ管の前記出口端部よりも前記入口から遠くに配置されており、前記ベンチュリ管は、その両端部間に伸び、中心に配置された縦軸を有し、前記方法は空気の流れを、前記ベンチュリ管を通し、次に前記入口を通して前記燃焼室の燃焼領域に向けるステップと、空気の前記流れの一次部分を、ベンチュリ管内の前記軸にあり、また前記出口に隣接して配置されたスワラを通過させるステップと、空気の前記流れの二次部分を、スワラを通過することなくベンチュリ内を通過させないようにするステップと、三次空気流をベンチュリ管の外周縁部のまわりから誘導し、また前記入口を通って前記燃焼室内に誘導するステップとを備える円形バーナを備えたベンチュリ管の作動方法。
【請求項63】
前記ベンチュリ管が外周縁部を備え、環状ギャップがベンチュリ管の出口端部にある前期外周縁部と前記入口の内縁との間に設けられ、前記方法が三次空気流れに、ベンチュリ管の外周縁部のまわりをギャップを通して前記燃焼室に流入させるステップを含む請求項62に記載の円形バーナを備えたベンチュリ管の作動方法。
【請求項64】
燃料ガスの第１供給が前記一次部分に導入され、燃料ガスの第２の個別の供給量が前記二次部分に導入される、請求項62に記載の円形バーナを備えたベンチュリ管の作動方法。